(57)【要約】【課題】段差状となった見出し部を有する冊子を、高速に、かつ、乱丁、落丁を生じさせることなく作製する。【解決手段】互いに幅が異なり、かつ、幅方向の一端から同一の距離にてミシン目２ａ〜２ｃが形成された連続紙１ａ〜１ｃと連続紙１ａ〜１ｃと幅が異なる連続紙１ｄとを連続紙１ａ〜１ｃの他端及び連続紙１ｄの一端が揃えられた状態で重ね合わせ、互いに重ね合わされた連続紙１ａ〜１ｃの他端からミシン目２ａ〜２ｃまでの領域を不要部分回収部３０にて回収し、重ね合わされた連続紙１ａ〜１ｄを断裁部５０にて冊子毎に断裁し、断裁部５０にて冊子毎に連続紙１ａ〜１ｄが断裁されて単片状となった紙片１０１ａ〜１０１ｄを、紙片１０１ａ〜１０１ｃの上記一端とミシン目２ａ〜２ｃによって不要部分が削除された辺とによって段差が形成されるように折り部６０にて折り畳む。【選択図】  図１
2004299844.tif 000002
【特許請求の範囲】
【請求項１】
複数枚の紙片が重ね合わされて構成され、前記複数枚の紙片にて段差状となった見出し部を有する冊子を作製する冊子作製方法であって、
幅が異なる複数の連続紙のぞれぞれに、幅方向の一端からの距離が、幅が広い連続紙の方が長くなるような領域にミシン目を形成する工程と、
前記連続紙を、前記一端が揃うように、かつ、前記幅の相違によって前記段差状の領域が形成されるような順序で重ね合わせる工程と、
前記重ね合わされた連続紙の前記一端から前記ミシン目までの領域をそれぞれ削除する工程と、
前記重ね合わされた連続紙を、該連続紙の幅方向に冊子毎に断裁する工程と、前記断裁された連続紙を、前記幅方向の他端と前記ミシン目が形成された辺とによって前記段差が形成されるように折り畳む工程とを有することを特徴とする冊子作製方法。
【請求項２】
請求項１に記載の冊子作製方法において、
前記連続紙を重ね合わせる前に、前記連続紙が重ね合わされた際に互いに重なり合う領域であって前記冊子が見開き可能となる領域に糊を塗布する工程を有することを特徴とする冊子作製方法。
【請求項３】
複数枚の紙片が重ね合わされて構成され、前記複数枚の紙片にて段差状となった見出し部を有する冊子を作製する冊子作製方法であって、
複数の連続紙のぞれぞれに、幅方向の一端からの距離が互いに異なるような領域にミシン目を形成する工程と、
前記連続紙を、前記一端が揃うように、かつ、前記一端からのミシン目までの距離が長くあるいは短くなる順序で重ね合わせる工程と、
前記重ね合わされた連続紙の前記一端から前記ミシン目までの領域をそれぞれ削除する工程と、
前記重ね合わされた連続紙を、該連続紙の幅方向に冊子毎に断裁する工程とを有することを特徴とする冊子作製方法。
【請求項４】
複数枚の紙片が所定の幅ずつずらして重ね合わされ、かつ、幅方向の一端におけるずれと他端におけるずれとによって段差が形成されるように折り畳まれることにより、前記段差状となった見出し部が構成されてなる冊子であって、
前記重ね合わされる複数枚の紙片のうち、最上面及び最下面となる紙片以外の紙片のそれぞれは、前記折り畳まれる際の折り畳み線となる領域にミシン目が形成されていることを特徴とする冊子。
【発明の詳細な説明】
【０００１】
【発明の属する技術分野】
本発明は、複数枚の紙片が重ね合わされてなる冊子を作製する冊子作製方法及び冊子に関し、特に、複数枚の紙片にて段差状となった見出し部を有する冊子を作製する冊子作製方法及び冊子に関する。
【０００２】
【従来の技術】
従来より、複数枚の紙片が重ね合わされてなる冊子であって、複数枚の紙片によって段差状となった見出し部が形成され、それにより、見開き性を向上させることができるように構成された冊子が利用されている。
【０００３】
図５は、段差状となった見出し部を有する冊子の一例を示す図であり、（ａ）は頁間が均等に開かれた状態を示す図、（ｂ）は閉じられた状態を示す図である。
【０００４】
本従来例は図５に示すように、互いに幅が異なる複数の紙片２０１ａ〜２０１ｆが、幅が異なる方向における一端が揃えられた状態で綴じ部２０２として綴じ合わされて構成されている。このように構成された冊子においては、綴じ部２０２において綴じられる紙片２０１ａ〜２０１ｆについてその幅が、紙片２０１ａが最も広く、次いで、紙片２０１ｂ、紙片２０１ｃ、紙片２０１ｄ、紙片２０１ｅ、紙片２０１ｆの順に幅が狭くなっており、それにより、綴じ部２０２にて綴じ合わされた場合、紙片２０１ａ〜２０１ｆの幅の違いによって、段差状となった見出し部２０３ａ〜２０３ｅが形成されている。
【０００５】
上記のように構成された冊子においては、段差状となった見出し部を設ける必要があるため、異なる幅を有する紙片に所定の情報を印刷し、印刷が施された紙片を互いに重ね合わせる作業を行わなければならず、それにより、冊子作製作業が煩雑になってしまう。
【０００６】
そこで、大きさが等しい紙片に所定の情報を印刷し、これらを互いに所定量だけずらして重ね合わせ、重ね合わされた紙片を同一領域にて折り畳むことにより、段差状となった見出し部を有する冊子を作製する技術が考えられている。
【０００７】
この技術においては、まず、連続状の用紙に所定の情報を印刷し、その後、その用紙を等しい大きさに断裁し、それにより、冊子を構成する等しい大きさの印刷物を作製する。なお、その際、断裁された印刷物のそれぞれは、冊子化された場合に片面において２つの頁を有することになるが、上述したように、その後の工程にて互いに所定量だけずらして重ね合わされて同一領域にて折り畳まれるため、折り位置が互いに異なることになり、この折り位置に応じて頁毎に情報が印刷されることになる。その後、断裁された印刷物を互いに所定量だけずらして重ね合わせ、重ね合わされた印刷物を同一領域にて折り畳むことにより、段差状となった見出し部を有する冊子が作製される（例えば、特許文献１参照。）。
【０００８】
【特許文献１】
実公平７−３７８８８号公報
【０００９】
【発明が解決しようとする課題】
しかしながら、上述したような方法によって段差状となった見出し部を有する冊子を作製する場合においては、冊子を構成する紙片に所定の情報を印刷し、断裁した後、これら紙片を重ね合わせることになるため、乱丁、落丁が生じる虞れがある。また、紙片を重ね合わせる作業が煩雑となり、重ね合わされる紙片の数が多い場合、作業時間が膨大なものとなってしまう虞れがある。
【００１０】
本発明は、上述したような従来の技術が有する問題点に鑑みてなされたものであって、段差状となった見出し部を有する冊子を、高速に、かつ、乱丁、落丁を生じさせることなく作製することができる冊子作製方法を提供することを目的とする。
【００１１】
【課題を解決するための手段】
上記目的を達成するために本発明は、
複数枚の紙片が重ね合わされて構成され、前記複数枚の紙片にて段差状となった見出し部を有する冊子を作製する冊子作製方法であって、
幅が異なる複数の連続紙のぞれぞれに、幅方向の一端からの距離が、幅が広い連続紙の方が長くなるような領域にミシン目を形成する工程と、
前記連続紙を、前記一端が揃うように、かつ、前記幅の相違によって前記段差状の領域が形成されるような順序で重ね合わせる工程と、
前記重ね合わされた連続紙の前記一端から前記ミシン目までの領域をそれぞれ削除する工程と、
前記重ね合わされた連続紙を、該連続紙の幅方向に冊子毎に断裁する工程と、前記断裁された連続紙を、前記幅方向の他端と前記ミシン目が形成された辺とによって前記段差が形成されるように折り畳む工程とを有することを特徴とする。
【００１２】
また、前記連続紙を重ね合わせる前に、前記連続紙が重ね合わされた際に互いに重なり合う領域であって前記冊子が見開き可能となる領域に糊を塗布する工程を有することを特徴とする。
【００１３】
また、複数枚の紙片が重ね合わされて構成され、前記複数枚の紙片にて段差状となった見出し部を有する冊子を作製する冊子作製方法であって、
複数の連続紙のぞれぞれに、幅方向の一端からの距離が互いに異なるような領域にミシン目を形成する工程と、
前記連続紙を、前記一端が揃うように、かつ、前記一端からのミシン目までの距離が長くあるいは短くなる順序で重ね合わせる工程と、
前記重ね合わされた連続紙の前記一端から前記ミシン目までの領域をそれぞれ削除する工程と、
前記重ね合わされた連続紙を、該連続紙の幅方向に冊子毎に断裁する工程とを有することを特徴とする。
【００１４】
また、複数枚の紙片が所定の幅ずつずらして重ね合わされ、かつ、幅方向の一端におけるずれと他端におけるずれとによって段差が形成されるように折り畳まれることにより、前記段差状となった見出し部が構成されてなる冊子であって、前記重ね合わされる複数枚の紙片のうち、最上面及び最下面となる紙片以外の紙片のそれぞれは、前記折り畳まれる際の折り畳み線となる領域にミシン目が形成されていることを特徴とする。
【００１５】
（作用）
上記のように構成された本発明においては、まず、幅が異なる複数の連続紙のぞれぞれに、幅方向の一端からの距離が、幅が広い連続紙の方が長くなるような領域にミシン目を形成し、この連続紙を、その一端が揃うように、かつ、幅の相違によって段差が形成されるような順序で重ね合わせる。これにより、重ね合わされた連続紙の他端側においては、連続紙の幅の違いにより段差状の領域が形成されることになる。次に、重ね合わされた連続紙の互いに揃えられた一端側からミシン目までの領域をそれぞれ削除する。すると、連続紙の幅方向の一端側においても、段差状の領域が形成される。その後、この連続紙を冊子毎に断裁し、所定の領域にて折り畳むと、連続紙の一端にて形成された段差状の領域と、連続紙の他端側にて形成された段差状の領域とによって、見出し部が形成されることになる。
【００１６】
このように、連続紙の重ね合わせにより、段差状となった見出し部を有する冊子を作製するので、段差状となった見出し部を有する冊子を、高速に、かつ、乱丁、落丁を生じさせることなく作製することができる。また、可変印字を伴った冊子作製においても、冊子を構成するページ毎の印字データのマッチングを図ることができる。
【００１７】
また、重ね合わされる複数枚の紙片のうち、最上面及び最下面となる紙片以外の紙片のそれぞれに、折り畳まれる際の折り畳み線となる領域にミシン目を形成すれば、重ね合わされた紙片が折り畳みやすくなる。
【００１８】
【発明の実施の形態】
以下に、本発明の実施の形態について図面を参照して説明する。
【００１９】
図１は、本発明の冊子作製方法の実施の一形態を実施するための装置構成を示す図であり、（ａ）は外観斜視図、（ｂ）は（ａ）に示した矢印Ａ方向から見た図、（ｃ）は（ａ）に示した矢印Ｂ方向から見た図である。
【００２０】
本形態を実施するための装置は図１に示すように、互いに幅が異なり、かつ、幅方向の一端からの距離が、幅が広い連続紙の方が長くなるような領域にミシン目２ａ〜２ｃが形成された連続紙１ａ〜１ｃと連続紙１ａ〜１ｃと幅が異なる連続紙１ｄとを連続紙１ａ〜１ｄの一端が揃えられた状態で重ね合わされるように供給する用紙供給部１０ａ〜１０ｄと、用紙供給部１０ａ〜１０ｃから供給される連続紙１ａ〜１ｃの裏面における所定の領域に糊を塗布する糊塗布部２０ａ〜２０ｃと、用紙供給部１０ａ〜１０ｃから供給され、互いに重ね合わされた連続紙１ａ〜１ｃの一端からミシン目２ａ〜２ｃまでの領域を回収する不要部分回収部３０と、不要部分回収部３０における回収動作に対して、連続紙１ａ〜１ｃの他の領域を押さえるための押さえ部材３１，３２と、連続紙１ｄに形成されたマージナル部４ａ，４ｂを削除するスリッタ４０と、重ね合わされた連続紙１ａ〜１ｄを冊子毎に断裁する断裁部５０と、断裁部５０にて冊子毎に連続紙１ａ〜１ｄが断裁されて単片状となった紙片１０１ａ〜１０１ｄを、紙片１０１ａ〜１０１ｃの上記他端とミシン目２ａ〜２ｃによって不要部分が削除された辺とによって段差が形成されるように折り畳む折り部６０とから構成されている。
【００２１】
以下に、上記のように構成された装置を用いた冊子作製方法についてフローチャートを参照して説明する。
【００２２】
図２は、図１に示した装置を用いた冊子作製方法を説明するためのフローチャートである。
【００２３】
まず、用紙供給部１０ａ〜１０ｃから供給される連続紙１ａ〜１ｃのそれぞれに対して、幅方向の一端からの距離が、幅が広い連続紙の方が長くなるような領域にミシン目２ａ〜２ｃを形成する（ステップＳ１）。ここで、本形態においては、用紙供給部１０ａ〜１０ｃから供給される連続紙１ａ〜１ｃのそれぞれに対して、幅方向の他端から同一の距離ｗ０にてミシン目２ａ〜２ｃを形成する。これにより、用紙供給部１０ａ〜１０ｃから供給される連続紙１ａ〜１ｃのそれぞれに対して、幅方向の一端からの距離が、幅が広い連続紙の方が長くなるような領域にミシン目２ａ〜２ｃが形成されることになる。また、用紙供給部１０ａ〜１０ｃから供給される連続紙１ａ〜１ｃにおいては、所定の量ずつ互いに幅が異なっており、幅方向の一端にマージナル部４ａがそれぞれ設けられている。また、ミシン目２ａ〜２ｃとして、タイ（連接部）が０．１５ｍｍ、カット（切断部）が０．３５ｍｍのマイクロミシンを使用する。また、用紙供給部１０ｄから供給される連続紙１ｄは、折り部６０にて折り畳まれた際に冊子の表紙となるものであって、ミシン目は形成されておらず、また、幅方向の両端にマージナル部４ａ，４ｂが設けられている。また、連続紙１ａ〜１ｄにおいては、その表裏に所定の情報が印刷されている。
【００２４】
次に、ミシン目２ａ〜２ｃが形成された連続紙１ａ〜１ｃを用紙供給部１０ａ〜１０ｃから供給するとともに、用紙供給部１０ｄから連続紙１ｄを供給する（ステップＳ２）。ここで、用紙供給部１０ａ〜１０ｄにおいては、互いに幅が異なる連続紙１ａ〜１ｄの一端、すなわち、マージナル部４ａが設けられた側が互いに揃えられるように連続紙１ａ〜１ｄを供給する。また、連続紙１ａ〜１ｃは、その幅が、連続紙１ａの幅ｗ１が最も広く、次いで連続紙１ｂの幅ｗ２、連続紙１ｃの幅ｗ３の順に狭くなっているため、図１に示すように、用紙供給部１０ａから供給された連続紙１ａに用紙供給部１０ｂから供給された連続紙１ｂが重ね合わされた後、重ね合わされた連続紙１ａ，１ｂに対して、用紙供給部１０ｃから連続紙１ｂ側に連続紙１ｃが重ね合わされるように供給すれば、連続紙１ａ〜１ｃの幅の相違によって段差が形成されることになる。
【００２５】
用紙供給部１０ａ〜１０ｃから供給された連続紙１ａ〜１ｃは、糊塗布部２０ａ〜２０ｃにおいて、折り部６０にて折り畳まれる際に折り畳み線となる領域あるいはその近傍であって、連続紙１ａ〜１ｃが重ね合わされた際に互いに重なり合う領域に糊が塗布され、その後、他の連続紙と重ね合わされることにより、連続紙１ａ〜１ｄが互いに接着されることになる。この糊塗布部２０ａ〜２０ｃにて糊が塗布される領域は、その後、連続紙１ａ〜１ｃが重ね合わされ、断裁され、折り部６０にて折り畳まれて冊子が作製された後に、冊子が折り畳み線を軸として見開き可能となる領域であることが好ましい。
【００２６】
用紙供給部１０ａ〜１０ｄから供給された連続紙１ａ〜１ｄは、互いに重ね合わされて接着された状態で搬送されていく。
【００２７】
次に、不要部分回収部３０において、互いに重ね合わされて搬送されてきた連続紙１ａ〜１ｃのマージナル部４ａが設けられた端からミシン目２ａ〜２ｃまでの領域を回収する（ステップＳ３）。不要部分回収部３０においては、用紙供給部１０ａ〜１０ｃから供給される連続紙１ａ〜１ｃのうち、不要部分回収部３０にて回収されるべき領域となる、マージナル部４ａが設けられた端からミシン目２ａ〜２ｃまでの領域についてその搬送方向先端部が予め保持されており、連続紙１ａ〜１ｄの搬送に伴って回転することにより、ミシン目２ａ〜２ｃによって連続紙１ａ〜１ｃを断裁し、マージナル部４ａが設けられた端からミシン目２ａ〜２ｃまでの領域を回収することになる。ここで、不要部分回収部３０における回収動作によって連続紙１ａ〜１ｃが捲れあがるように作用するが、その際、押さえ部材３１によって、連続紙１ａ〜１ｃのマージナル部４ａの外側の領域及び連続紙１ａのミシン目２ａよりもマージナル部４ａから離れる方向側の領域が押さえられているため、連続紙１ａのマージナル部４ａが設けられていない端からミシン目２ａまでの領域については、この押さえ部材３１によって、捲れあがることがなくなり、また、押さえ部材３２によって、不要部分回収部３０にてマージナル部４ａが設けられた端からミシン目２ａ〜２ｃまでの領域が回収された連続紙１ａ〜１ｃが押さえられているため、不要部分回収部３０における回収動作によってこの領域が捲れあがることがなくなり、これにより、用紙供給部１０ａ〜１０ｃから供給される連続紙１ａ〜１ｃのうち、マージナル部４ａが設けられた端からミシン目２ａ〜２ｃまでの領域が不要部分回収部３０にて回収されることになる。なお、本形態においては、連続紙１ａ〜１ｃに形成されるミシン目２ａ〜２ｃとして、タイ（連接部）が０．１５ｍｍ、カット（切断部）が０．３５ｍｍのマイクロミシンを使用しているが、連続紙１ａ〜１ｃの搬送中に切れず、かつ、不要部分回収時に切り取りやすい仕様のものであれば、特に限定されるものではない。
【００２８】
次に、スリッタ４０において、連続紙１ｄに設けられたマージナル部４ａ，４ｂを断裁することにより削除する（ステップＳ４）。
【００２９】
次に、断裁部５０において、重ね合わされた連続紙１ａ〜１ｄを、搬送方向に対して垂直方向に、冊子毎に断裁する（ステップＳ５）。
【００３０】
図３は、図１に示した断裁部５０にて断裁された紙片の構成を示す図である。
【００３１】
図３に示すように、断裁部５０にて連続紙１ａ〜１ｄが断裁されると、連続紙１ｄが断裁されてなる紙片１０１ｄ上に、連続紙１ｃが断裁されてなる紙片１０１ｃが重ね合わされ、この紙片１０１ｃ上に、連続紙１ｂが断裁されてなる紙片１０１ｂが重ね合わされ、この紙片１０１ｂ上に、連続紙１ａが断裁されてなる紙片１０１ａが重ね合わされた状態となる。また、不要部分回収部３０にて不要部分が回収されたことにより段差状となった見出し部１０２ｂ〜１０２ｄが形成され、この見出し部１０２ｂ〜１０２ｄの幅ｗ４１〜ｗ４３は互いに等しく、また、紙片１０１ａ〜１０１ｃの反対側の端に形成されている段差状の領域の幅ｗ４４〜ｗ４５は、幅ｗ４１〜ｗ４３が互いに等しいこと、並びに、連続紙１ａ〜１ｃの他端からミシン目２ａ〜２ｃが形成された領域までの距離が同一の幅ｗ０であることから、互いに等しくなっている。また、折り部６０にて折り畳まれる際の折り畳み線５においては、紙片１０１ａについて、折り畳み線５を介して分割される２つの領域のうち紙片１０１ｂ，１０１ｃよりも幅が狭い側の幅ｗ５から他方の側の幅ｗ６を差し引いた値（ｗ５−ｗ６）が幅ｗ４１〜ｗ４６と等しくなるような領域に設けられている。
【００３２】
その後、折り部６０において、紙片１０１ａ〜１０１ｄを折り畳み線５を介して折り畳み、冊子を完成させる（ステップＳ６）。なお、この折り畳み線５あるいはその近傍においては、糊塗布部２０ａ〜２０ｃにて紙片１０１ａ〜１０１ｃに糊が塗布されており、それにより、紙片１０１ａ〜１０１ｄが接着されている。
【００３３】
図４は、図１に示した折り部６０にて紙片を折り畳んだ状態を示す図である。
【００３４】
図４に示すように、図３に示したように断裁された紙片１０１ａ〜１０１ｄのうち、紙片１０１ａ〜１０１ｃを折り畳み線５を介して折り畳むと、図３に示したような見出し部１０２ｂ〜１０２ｄに加えて、不要部分回収部３０にて不要部分が回収される前における連続紙１ａ〜１ｃの幅の違いにより生じる段差状の見出し部１０３ａ，１０３ｂが形成され、また、紙片１０１ａが折り畳み線５を介しての折り畳まれたことにより見出し部１０２ａが形成される。
【００３５】
このように、本形態においては、まず、幅方向の他端から同一の距離にてミシン目が形成され、かつ、互いに幅の異なる複数の連続紙が、その一端が揃うように重ね合わされる。これにより、連続紙の幅方向の他端側において、その幅の違いから段差状の領域が形成される。その後、連続紙の一端からミシン目までの領域が削除されることにより、連続紙の幅方向の一端側においても、段差状の領域が形成される。さらにその後、この連続紙を冊子毎に断裁し、所定の領域にて折り畳むと、連続紙の一端にて形成された段差状の領域と、連続紙の他端側にて形成された段差状の領域とによって、見出し部が形成されることになる。
【００３６】
なお、本形態においては、用紙供給部１０ａ〜１０ｃから供給される連続紙１ａ〜１ｃのそれぞれに対して、幅方向の他端から同一の距離にてミシン目２ａ〜２ｃが形成されているが、用紙供給部１０ａ〜１０ｃから供給される連続紙１ａ〜１ｃのそれぞれに対して、幅方向の一端からの距離が、幅が広い連続紙の方が長くなるような領域にミシン目２ａ〜２ｃを形成すれば、連続紙１ａ〜１ｃがその一端が揃うように重ね合わされた後に、連続紙１ａ〜１ｃの一端からミシン目２ａ〜２ｃまでの領域を削除することにより、連続紙１ａ〜１ｃの一端側においても、段差状の領域が形成されることになる。
【００３７】
また、本形態において、用紙供給部１０ｂ，１０ｃから供給される連続紙１ｂ，１ｃに対して、折り部６０にて折り畳まれる際に折り畳み線となる領域にミシン目を形成しておけば、折り部６０において、重ね合わされた紙片が折り畳みやすくなる。この場合、紙片の重ね合わせ処理については、上述した工程に限らず、複数枚の紙片が、所定の幅ずつすらして重ね合わされているものであればよい。
【００３８】
また、本形態においては、互いに異なる幅を有する連続紙１ａ〜１ｄが用紙供給部１０ａ〜１０ｄから供給されているが、一端からの距離が互いに異なるような領域にミシン目が形成された同一の幅を有する複数の連続紙を、両端が揃うように、かつ、一端からのミシン目までの距離が長くあるいは短くなる順序で重ね合わされるように用紙供給部１０ａ〜１０ｄから供給することも考えられる。
【００３９】
【発明の効果】
以上説明したように本発明においては、複数枚の紙片が重ね合わされて構成され、複数枚の紙片にて段差状となった見出し部を有する冊子を作製する冊子作製方法において、幅が異なる複数の連続紙のぞれぞれに、幅方向の一端からの距離が、幅が広い連続紙の方が長くなるような領域にミシン目を形成する工程と、連続紙を、その一端が揃うように、かつ、幅の相違によって段差状の領域が形成されるような順序で重ね合わせる工程と、重ね合わされた連続紙の一端からミシン目までの領域をそれぞれ削除する工程と、重ね合わされた連続紙を、該連続紙の幅方向に冊子毎に断裁する工程と、断裁された連続紙を、幅方向の他端とミシン目が形成された辺とによって段差が形成されるように折り畳む工程とを順次行うことにより冊子を作製する構成としたため、連続紙の重ね合わせにより、段差状となった見出し部を有する冊子が作製されることになり、段差状となった見出し部を有する冊子を、高速に、かつ、乱丁、落丁を生じさせることなく作製することができる。また、可変印字を伴った冊子作製においても、冊子を構成するページ毎の印字データのマッチングを図ることができる。
【００４０】
また、重ね合わされる複数枚の紙片のうち、最上面及び最下面となる紙片以外の紙片のそれぞれに、折り畳まれる際の折り畳み線となる領域にミシン目が形成された構成のものにおいては、重ね合わされた紙片を折り畳みやすくすることができる。
【図面の簡単な説明】
【図１】本発明の冊子作製方法の実施の一形態を実施するための装置構成を示す図であり、（ａ）は外観斜視図、（ｂ）は（ａ）に示した矢印Ａ方向から見た図、（ｃ）は（ａ）に示した矢印Ｂ方向から見た図である。
【図２】図１に示した装置を用いた冊子作製方法を説明するためのフローチャートである。
【図３】図１に示した断裁部にて断裁された紙片の構成を示す図である。
【図４】図１に示した折り部にて紙片を折り畳んだ状態を示す図である。
【図５】段差状となった見出し部を有する冊子の一例を示す図であり、（ａ）は頁間が均等に開かれた状態を示す図、（ｂ）は閉じられた状態を示す図である。
【符号の説明】
１ａ〜１ｄ    連続紙
２ａ〜２ｃ    ミシン目
４ａ，４ｂ    マージナル部
５    折り畳み部
１０ａ〜１０ｄ    用紙供給部
２０ａ〜２０ｃ    糊塗布部
３０    不要部分回収部
３１，３２    押さえ部材
４０    スリッタ
５０    断裁部
６０    折り部
【図１】
2004299844.tif 000003
【図２】
2004299844.tif 000004
【図３】
2004299844.tif 000005
【図４】
2004299844.tif 000006
【図５】
2004299844.tif 000007